(57)【要約】【課題】遊技球を流下させる球通路の下流端から球回収タンク内に向けて放出された多数の遊技球を球回収タンクから球揚送装置へスムーズに通出させることにより球揚送装置における遊技球の揚送効率を良好に維持することができる島設備を提供する。【解決手段】多数の遊技球Ｂを流下させる球回収樋１５の下流端が球回収タンク１７内まで延設され、球回収タンク１７内には球回収樋１５の下流端から放出される遊技球Ｂの放出軌跡上に弾性材からなる衝撃吸収部材２１を備えたガイド装置１９が配設されている。ガイド装置１９は衝撃吸収部材２１の表面側となる一面２１ａが低摩擦係数の表装材２５で被覆保護されており、当該表装材２５の表面２５ａが遊技球Ｂとの衝突面となっている。従って、ガイド装置１９に衝突した遊技球Ｂは、衝撃吸収部材２１の湾曲・振動により衝撃力が緩和されると共に、飛散方向が球回収タンク１７内下部の連絡口２０側へガイドされる。【選択図】      図４
2005323881.tif 000002
【特許請求の範囲】
【請求項１】
複数の遊技機と、当該各遊技機から排出された遊技球を回収して下流端側に向けて流下させる球通路と、当該球通路の下流端から放出された遊技球を受け入れる球回収タンクと、当該球回収タンク内から連絡口を介して通出された遊技球を上方へ揚送する球揚送装置とを備えた島設備において、
前記球通路の下流端から前記球回収タンク内に放出される遊技球の放出軌跡上に、当該遊技球との衝突面を有し且つ当該衝突面に衝突した遊技球を前記球回収タンク内における前記連絡口側へ向けてガイドするガイド装置を設けた島設備。
【請求項２】
前記ガイド装置は、前記衝突面が前記遊技球の放出軌跡上であって前記球通路の下流端近傍位置に配設されている請求項１に記載の島設備。
【請求項３】
前記ガイド装置は、前記球通路における下流端構成部位に支持されている請求項２に記載の島設備。
【請求項４】
前記ガイド装置は、弾性材からなる衝撃吸収部材を備え、当該衝撃吸収部材の一面が前記球通路の下流端から放出された遊技球と前記衝突面との衝突時に衝撃荷重を受ける受圧面として構成されている請求項１〜請求項３のうち何れか一項に記載の島設備。
【発明の詳細な説明】
【技術分野】
【０００１】
本発明は、複数の遊技機を設置してなる島設備に関する。
【背景技術】
【０００２】
従来、複数のパチンコ遊技機（以下、「パチンコ機」と示す）を設置してなる島設備には、例えば特許文献１に記載されるように、各パチンコ機から排出された遊技球を回収して貯留可能な球回収タンクと、当該タンク内に回収された多数の遊技球を研磨リフトで研磨しながら上方へ揚送する球揚送装置が設けられている。球揚送装置の上部からは各パチンコ機の上方域へ向けて球供給樋が斜状に設けられ、この球供給樋を介して球揚送装置から各パチンコ機へ遊技球が供給されるようになっている。また、各パチンコ機の下方域からは前記球回収タンクに向けて延びる球回収樋（即ち、遊技球回収用の球通路）が斜状に設けられ、この球回収樋を介して各パチンコ機から球回収タンクへ遊技球が回収されるようになっている。即ち、各パチンコ機から下方の球回収樋内へ排出された多数の遊技球（アウト球等）は、斜状をなす球回収樋内を下流端側に向けて流下し、当該球回収樋の下流端から球回収タンク内へ放出されるようになっている。そして、球回収タンク内に回収された多数の遊技球は、当該球回収タンク内に開口形成された連絡口を介して前記球揚送装置へと通出され、再び球揚送装置により上方へ揚送されて各パチンコ機に供給されるようになっている。
【特許文献１】特開平９−１６８６６０号公報（段落番号［００１３］〜［００１５］）
【発明の開示】
【発明が解決しようとする課題】
【０００３】
ところで、通常、島設備には多数のパチンコ機が並設される。そのため、各パチンコ機から球回収樋を介して球回収タンクに回収される遊技球は、その個数が膨大な数量となる。また、前述したように、球回収樋は球回収タンクに向けて斜状をなしている。そのため、球回収樋内を流下して当該球回収樋の下流端から球回収タンク内に放出される遊技球は、その放出の勢いが凄まじいものとなる。従って、球回収タンク内においては、球回収樋の下流端から勢い良く放出された多数の遊技球が激しく交錯することになり、球揚送装置に連通する連絡口までスムーズに到達できないという状況を招いていた。そして、こうした状況の下では、球回収タンクから球揚送装置へ多数の遊技球を迅速に通出することが困難となる結果、球揚送装置により多数の遊技球を効率よく揚送できなくなる虞があった。特に、特許文献１に記載の島設備のように、球揚送装置の両側に複数のパチンコ機が夫々設置されている場合には、複数の球回収樋が異なる方向から球回収タンク内へ多数の遊技球を夫々放出することになる。そのため、球回収タンク内では多数の遊技球が更に激しく交錯することとなって、より一層、前記球揚送装置における遊技球の揚送効率が悪化するものとなっていた。
【０００４】
本発明は、このような事情に鑑みてなされたものであり、その目的は、遊技球を流下させる球通路の下流端から球回収タンク内に向けて放出された多数の遊技球を球回収タンクから球揚送装置へスムーズに通出させることにより球揚送装置における遊技球の揚送効率を良好に維持することができる島設備を提供することにある。
【課題を解決するための手段】
【０００５】
上記目的を達成するために、請求項１に記載の発明は、複数の遊技機と、当該各遊技機から排出された遊技球を回収して下流端側に向けて流下させる球通路と、当該球通路の下流端から放出された遊技球を受け入れる球回収タンクと、当該球回収タンク内から連絡口を介して通出された遊技球を上方へ揚送する球揚送装置とを備えた島設備において、前記球通路の下流端から前記球回収タンク内に放出される遊技球の放出軌跡上に、当該遊技球との衝突面を有し且つ当該衝突面に衝突した遊技球を前記球回収タンク内における前記連絡口側へ向けてガイドするガイド装置を設けたことを要旨としている。
【０００６】
請求項２に記載の発明は、請求項１に記載の島設備において、前記ガイド装置は、前記衝突面が前記遊技球の放出軌跡上であって前記球通路の下流端近傍位置に配設されていることを要旨としている。
【０００７】
請求項３に記載の発明は、請求項２に記載の島設備において、前記ガイド装置は、前記球通路における下流端構成部位に支持されていることを要旨としている。
請求項４に記載の発明は、請求項１〜請求項３のうち何れか一項に記載の島設備において、前記ガイド装置は、弾性材からなる衝撃吸収部材を備え、当該衝撃吸収部材の一面が前記球通路の下流端から放出された遊技球と前記衝突面との衝突時に衝撃荷重を受ける受圧面として構成されていることを要旨としている。
【発明の効果】
【０００８】
遊技球を流下させる球通路の下流端から球回収タンク内に向けて放出された多数の遊技球を球回収タンクから球揚送装置へスムーズに通出させることにより球揚送装置における遊技球の揚送効率を良好に維持することができる。
【発明を実施するための最良の形態】
【０００９】
（第１の実施形態）
以下、本発明をパチンコ機が複数設置された島設備に具体化した第１の実施形態を図１〜図４に基づき説明する。
【００１０】
図１に示すように、本実施形態の島設備１０は、当該島設備１０における長手方向（図１では左右方向）の略中央に球揚送装置１１を備えている。この球揚送装置１１は図示しない研磨リフトを介して遊技球を研磨しながら上方へと揚送するものであり、球揚送装置１１の上方端と対応する位置には多数の遊技球を貯留可能な島タンク１２が設置されている。また、前記球揚送装置１１の左右両側には、夫々、複数（例えば１０台）のパチンコ機（遊技機）１３が並列状に設置されている。前記各パチンコ機１３の上方域には、当該各パチンコ機１３へ前記島タンク１２内に貯留された遊技球を分配供給するための球供給樋１４が前記球揚送装置１１側を上流端とする斜状態様で左右一対設けられている。そして、各球供給樋１４からは複数の球分配シュート（図示略）が各パチンコ機１３と個別対応するように分岐形成され、当該各分配シュートを介して各パチンコ機１３へ遊技球が分配供給されるようになっている。
【００１１】
一方、前記島設備１０における各パチンコ機１３の下方域には、当該各パチンコ機１３から排出された遊技球（例えばアウト球等）を回収するための球回収樋（球通路）１５が前記球揚送装置１１側を下流端とする斜状態様で左右一対設けられている。そして、各パチンコ機１３からは図示しない球排出シュートを介して下方に位置する球回収樋１５へ遊技球が排出されるようになっている。これら左右の両球回収樋１５は、遊技球の放出端となる下流端の部分が各々上方をカバー１６で覆われており（図２参照）、それら各下流端が前記島設備１０の略中央で前記球揚送装置１１の下方端と対応する位置に設置された球回収タンク１７内まで延設されている。そのため、前記各パチンコ機１３から球回収樋１５内へと排出された遊技球は、当該球回収樋１５内を下流端側に向けて流下し、その下流端から球回収タンク１７内へ勢い良く放出されることになる。また、球回収タンク１７の下部中央には、前記球揚送装置１１の球取込口（図示略）と連通する連絡口２０が開口形成されている（図２参照）。従って、前記球回収タンク１７内に放出された遊技球は、前記連絡口２０及び取込口を介して球揚送装置１１内に取り込まれて島タンク１２へ揚送されるようになっている。
【００１２】
図２に示すように、前記球回収タンク１７は上方を開口した箱体であり、その上方開口部分は遊技球が球回収タンク１７外へ飛散するのを防止するための蓋体１８により閉塞されている。蓋体１８の内面には略直方体形状をなすガイド装置１９が垂下支持されており、このガイド装置１９は、前記左右の各球回収樋１５の下流端から球回収タンク１７内に放出される遊技球の放出軌跡上に位置すると共に、前記連絡口２０の真上に位置するように配設されている。そのため、各球回収樋１５の下流端から放出された遊技球は、前記ガイド装置１９において各球回収樋１５の下流端と対面する表面（具体的には後述する表装材２５の表面２５ａ）に衝突することになる。そして、このガイド装置１９の表面（表装材２５の表面２５ａ）に衝突した遊技球は、該ガイド装置１９によって勢いが吸収されて真下へと落ちる。従って、前記ガイド装置１９は、前記球回収樋１５の下流端から放出された遊技球の飛出し方向（落下方向）を変更して、該遊技球を前記連絡口２０側（球回収タンク１７の下部中央）に向けてガイドするようになっている（図４参照）。
【００１３】
次に、前記ガイド装置１９の具体的な構成について図３に基づき説明する。
図３に示すように、前記ガイド装置１９は、弾性材（本実施形態では、ポリウレタン系のエラストマ）からなる２枚の板状をなす衝撃吸収部材２１を備えており、両衝撃吸収部材２１の間には矩形枠状をなすスペーサ２２が介在されている。そして、当該スペーサ２２に対して前記各衝撃吸収部材２１が複数のネジ２３を介して組み付け固定され、前記両衝撃吸収部材２１の間（即ち、各衝撃吸収部材２１の裏面側）には、所定容積の空気層２４が各衝撃吸収部材２１の裏面側への変位を許容する変位スペースとして形成されている。
【００１４】
そのため、前記各球回収樋１５の下流端から球回収タンク１７内に放出された遊技球がガイド装置１９の表面（表装材２５の表面２５ａ）に衝突した際には、各衝撃吸収部材２１が遊技球からの衝撃荷重を受けて前記空気層２４の範囲内で湾曲・振動することになる。そして、ガイド装置１９においては、そのように衝撃吸収部材２１が湾曲・振動することにより、前記遊技球の衝突に基づく衝撃（及び衝突音）を吸収（減衰）するようになっている。従って、本実施形態では、前記衝撃吸収部材２１を備えてなるガイド装置１９が衝撃吸収装置としても機能することになる。
【００１５】
また、前記ガイド装置１９においては、前記各衝撃吸収部材２１の表面側となる各一面２１ａが通気性を有する表装材２５により被覆保護されている。この表装材２５は、ナイロン製の織物からなり、より具体的には、合成繊維であるナイロン繊維を織って作られた布であって、繊維と繊維との間には微小な空気層が形成されているために通気性を有している。そして、前記表装材２５は、前記スペーサ２２に対して布押さえ板２６を介在させた状態で複数（図３には２つのみ図示）のネジ２７により固定されている。そして、前記各球回収樋１５の下流端から遊技球が球回収タンク１７内に放出された場合には、前記表装材２５の表面２５ａに遊技球が衝突して飛出し方向をガイドされるようになっている。従って、本実施形態では、前記ガイド装置１９における表装材２５の表面２５ａが遊技球との衝突面として構成されると共に、前記表装材２５により被覆保護された衝撃吸収部材２１における表面側の一面２１ａが遊技球からの衝撃荷重を受ける受圧面として機能する構成とされている。
【００１６】
また、本実施形態では、雰囲気温度が２５度であるとした場合、前記衝撃吸収部材２１はその摩擦係数が約３．５である一方、前記表装材２５はその摩擦係数が前記衝撃吸収部材２１の摩擦係数（約３．５）よりも低い約０．２であるナイロンにて構成されている。そのため、長期に亘って多数の遊技球がガイド装置１９の表面となる表装材２５の表面２５ａに衝突を繰り返しても、当該表装材２５は摩擦係数（約０．２）が低いため、ほとんど摩擦熱が生じないようになっている。また、たとえ遊技球との衝突が繰り返されて摩擦熱が生じたとしても、表装材２５は通気性を有しているため、当該摩擦熱は、表装材２５の内部にこもることなく外部へ速やかに放熱されることになる。なお、ナイロンは、摩擦係数が低い、耐熱性に優れている、耐磨耗性に優れている、及び自己潤滑性に優れている等という特性を備えている。
【００１７】
そこで次に、以上のように構成された本実施形態の島設備１０において球回収樋１５の下流端から球回収タンク１７内に遊技球が放出された場合の作用について図４を参照しながら説明する。なお、以下の説明では、図１及び図２における右側の球回収樋１５から球回収タンク１７内へ遊技球が放出された場合についてのみ説明することとし、左側の球回収樋１５から遊技球が放出された場合については右側の球回収樋１５から放出された場合と同様であるため、重複説明を省略することとする。
【００１８】
さて、図４に示すように、球回収樋１５内を下流端側に向けて流下する遊技球Ｂは、当該球回収樋１５の下流端から球回収タンク１７内に向けて放出され、その放出軌跡上に設置されたガイド装置１９の表面（表装材２５の表面２５ａ）に衝突する。すると、ガイド装置１９の表面（表装材２５の表面２５ａ）に衝突した遊技球Ｂは、その飛出し方向が変更され、球回収タンク１７内における連絡口２０側に向けてガイドされる。
【００１９】
そのため、球回収タンク１７内へ放出（回収）された各遊技球Ｂは、前記球回収タンク１７内において交錯した状態（即ち、滞留した状態）となることなく、速やかに前記連絡口２０から当該連絡口２０に連通する球揚送装置１１へ向けてスムーズに通出される。従って、球揚送装置１１は、多数の遊技球Ｂを効率良く研磨リフトにより研磨しながら上方の島タンク１２へと揚送できるようになる。
【００２０】
また、ガイド装置１９は、前記表装材２５の表面２５ａに遊技球Ｂが衝突した際に、当該遊技球Ｂからの衝撃荷重により衝撃吸収部材２１が裏面側に形成された空気層２４の範囲内で湾曲・振動する。そのため、前記島設備１０では、球回収樋１５の下流端から球回収タンク１７内へ放出された多数の遊技球Ｂがガイド装置１９に衝突した際の衝撃及び衝突音が前記衝撃吸収部材２１の湾曲・振動により吸収（減衰）されて良好に低減される。
【００２１】
そして、前記ガイド装置１９において各遊技球Ｂが衝突した際に当該遊技球Ｂと直接擦れ合うことになる表装材２５は、同一温度雰囲気において衝撃吸収部材２１よりも摩擦係数が低いナイロン素材で構成されている。そのため、遊技球Ｂが衝突した際に生じる摩擦熱を抑制でき、多数の遊技球Ｂが長期にわたってガイド装置１９の衝突面（表装材２５の表面２５ａ）に衝突を繰り返したとしても、衝撃吸収部材２１における表面側の一面２１ａがゲル化して欠損（例えば、穴が開く等）することはない。従って、衝撃吸収装置としても機能するガイド装置１９は、その衝撃吸収部材２１が遊技球Ｂとの衝突に基づく欠損を回避され、その衝撃吸収機能を長期にわたって維持できるようになる。
【００２２】
従って、本実施形態では、以下に示す効果を得ることができる。
（１）衝撃吸収部材２１の表面側となる一面（受圧面）２１ａは、表装材２５により被覆保護されているため、多数の遊技球Ｂがガイド装置１９に衝突を繰り返しても、それらの衝突時に衝突面となって遊技球Ｂと直接擦れ合うのは、衝撃吸収部材２１よりも摩擦係数が低い表装材２５の表面２５ａである。そのため、遊技球Ｂとの衝突時における摩擦熱で衝撃吸収部材２１の一面２１ａがゲル化したり当該ゲル化に基づき欠損したりすることを回避できる。従って、衝撃吸収装置としても機能するガイド装置１９は、遊技球Ｂの衝突に基づく衝撃（及び衝突音）を長期にわたって確実に吸収できる。
【００２３】
（２）遊技球Ｂが表装材２５の表面（衝突面）２５ａに衝突して各衝撃吸収部材２１における表面側の一面（受圧面）２１ａに衝撃荷重が夫々加わった場合、各衝撃吸収部材２１が空気層（変位スペース）２４の範囲内で湾曲・振動するようになっている。従って、この衝撃吸収部材２１の湾曲・振動により、遊技球Ｂの衝突に基づく衝撃（及び衝突音）を確実に吸収（減衰）できる。
【００２４】
（３）表装材２５は、通気性を有しているため、その表面２５ａに長期にわたって多数の遊技球Ｂが繰り返し衝突することにより、表装材２５又は当該表装材２５で被覆保護された各衝撃吸収部材２１に摩擦熱が生じたとしても、そのような摩擦熱を外部に良好に放熱できる。
【００２５】
（４）表装材２５は、長尺な繊維を織って作った織物で構成されているため、繊維と繊維との間には微小な空気層が形成されている。そのため、表装材２５は、切り込み加工等を施さなくても通気性を有することができる。また、表装材２５自体も遊技球Ｂの衝突に基づき織り目が変位すること、及び繊維間に形成された微小な空気層がクッションとして機能することにより衝撃荷重を吸収できるため、表装材２５の耐久性を向上することができる。
【００２６】
（５）島設備１０において特に多数の遊技球が球回収樋（球通路）１５の下流端から放出される球回収タンク１７内において、遊技球Ｂの衝突に伴う衝撃及び衝突音を、衝撃吸収装置としても機能するガイド装置１９により低減することができる。
【００２７】
（６）各パチンコ機１３から排出され球回収樋（球通路）１５内を下流端に向けて流下する遊技球Ｂは当該球回収樋１５の下流端から球回収タンク１７内に勢い良く放出される。その際、放出された遊技球Ｂは、当該遊技球Ｂの放出軌跡上に設けられたガイド装置１９の衝突面（表装材２５の表面２５ａ）に衝突することにより、球回収タンク１７内における連絡口２０側へ向けてガイドされる。そのため、球回収タンク１７内では、多数の遊技球Ｂが交錯した状態とならず、スムーズに連絡口２０から球揚送装置１１へと通出させることができ、該球揚送装置１１による遊技球Ｂの揚送効率を良好に維持することができる。
【００２８】
（第２の実施形態）
次に、本発明の第２の実施形態を図５〜図７に基づき説明する。なお、本実施形態は、ガイド装置に関する構成が第１の実施形態とは相違しており、他の構成部分については、第１の実施形態と同一構成になっている。従って、以下の説明においては、第１の実施形態と相違する部分について主に説明することにし、第１の実施形態と同一又は相当する部材構成には同一符号を付して重複説明を省略する。
【００２９】
図５に示すように、本実施形態ではガイド装置１９Ａが球回収樋１５の下流端構成部位となるカバー１６にブラケット２８を介して支持されている。即ち、本実施形態では前記第１の実施形態の場合よりもガイド装置１９Ａが球回収樋１５の下流端近傍位置において斜状をなすように配設された構成となっている。そして、当該ガイド装置１９Ａに球回収樋１５の下流端から放出された遊技球Ｂが衝突した場合には、前記第１の実施形態の場合と同様に、その遊技球Ｂの飛出し方向を球回収タンク１７内の連絡口２０側に向けて変更ガイドするようになっている。
【００３０】
次に、前記ガイド装置１９Ａの具体的な構成について図６に基づき説明する。
図６に示すように、前記ガイド装置１９Ａは、弾性材（ポリウレタン系のエラストマ）からなる１枚の板状をなす衝撃吸収部材２１と矩形枠状をなす基材２９とを備え、当該基材２９の表面側（図６では右面側）に衝撃吸収部材２１が接着されている。そして、前記基材２９の内側（即ち、衝撃吸収部材２１の裏面側）には、貫通孔２９ａが衝撃吸収部材２１の裏面側への変位を許容する変位スペースとして形成されている。また、本実施形態のガイド装置１９Ａにおいても、前記衝撃吸収部材２１の表面側となる一面２１ａがナイロン製の織物からなる表装材２５により被覆保護されており、当該表装材２５は、前記基材２９の裏面側に対して布押さえ板２６を介在させた状態で複数（図６には２つのみ図示）のネジ２７により固定されている。
【００３１】
そのため、図７に示すように、前記球回収樋１５の下流端から球回収タンク１７内に放出された遊技球Ｂがガイド装置１９Ａの表面（即ち、表装材２５の表面２５ａ）に衝突した際には、衝撃吸収部材２１が遊技球Ｂからの衝撃荷重を受けて前記貫通孔２９ａの奥行範囲内で湾曲・振動することになる。そして、このガイド装置１９Ａにおいても、そのように衝撃吸収部材２１が湾曲・振動することにより、前記遊技球Ｂの衝突に基づく衝撃（及び衝突音）を吸収（減衰）するようになっている。従って、本実施形態でも、前記衝撃吸収部材２１を備えてなるガイド装置１９Ａは衝撃吸収装置としても機能することになる。
【００３２】
また、前記ガイド装置１９Ａにおいては、前記表装材２５の表面２５ａが遊技球Ｂの放出軌跡上であって前記球回収樋１５の下流端近傍位置にて斜状をなすように設定されている。そして、このように表装材２５の表面２５ａを水平方向に対して傾けたことにより、ガイド装置１９Ａは、球回収樋１５の下流端から球回収タンク１７内に放出された直後の遊技球Ｂを表装材２５の表面２５ａに衝突させて、その飛出し方向を変更するようになっている。従って、本実施形態でも、前記ガイド装置１９Ａにおける表装材２５の表面２５ａが遊技球Ｂとの衝突面として構成されると共に、前記表装材２５により被覆保護された衝撃吸収部材２１における表面側の一面２１ａが遊技球Ｂからの衝撃荷重を受ける受圧面として機能する構成とされている。
【００３３】
従って、第２の実施形態によれば、前記第１の実施形態の効果（１）〜（６）とほぼ同様の効果を得ることができる上に、さらに以下に示す効果をも得ることができる。
（７）ガイド装置１９Ａは、球回収樋１５の下流端近傍位置に斜状をなすように配設され、衝突面となる表装材２５の表面２５ａが球回収樋１５の下流端から放出される遊技球Ｂの放出軌跡上に位置するように設定されている。そのため、球回収樋１５の下流端から球回収タンク１７内に向けて放出された遊技球Ｂは、球回収樋１５の下流端から放出された直後にガイド装置１９Ａの衝突面（表装材２５の表面２５ａ）に衝突して球回収タンク１７内の連絡口２０側に向けてガイドされることになる。従って、ガイドするべき方向（連絡口２０側）へと遊技球Ｂをコントロールし易くなると共に、球回収樋１５の下流端から放出される多数の遊技球Ｂ個々の勢いが異なる場合でも、それら各遊技球Ｂ個々を確実にガイド装置１９Ａの衝突面（表装材２５の表面２５ａ）に衝突させて前記連絡口２０側へガイドできる。
【００３４】
（８）ガイド装置１９Ａを、球回収樋１５の下流端構成部位であるカバー１６にブラケット２８を介して支持しているため、蓋体１８の内面にガイド装置１９を垂下支持した第１実施形態の場合と異なり、横長や縦長など様々な大きさや形状をなす球回収タンク１７にも対処できる。また、蓋体１８を取り除くことも可能である。
【００３５】
（９）第１の実施形態では、ガイド装置１９を垂直に設置して、衝突面（表装材２５の表面２５ａ）に衝突した遊技球Ｂの勢いを殆ど吸収することで、当該ガイド装置１９の略真下（連絡口２０側）へ遊技球Ｂをガイド（落下）させていた。しかし、第２の実施形態では、ガイド装置１９Ａを斜状をなすように設置するようにした。そのため、遊技球Ｂが衝突した際の勢いをある程度吸収しつつ、若干残すようにすることができる。従って、勢いが若干残った遊技球Ｂは、その勢いを利用することで、よりスムーズに球回収タンク１７の連絡口２０へと進入することができる。
【００３６】
なお、前記各実施形態は以下のような別の実施形態（別例）に変更してもよい。
・前記各実施形態においてガイド装置は、図８に示すように、木材等からなる１枚の基板３０と前記衝撃吸収部材２１との間に枠状の前記スペーサ２２を介在させた状態で衝撃吸収部材２１を前記基板３０に対しネジ２３により組み付け固定したガイド装置１９Ｂとしてもよい。このように構成しても、衝撃吸収部材２１の裏面側には、当該衝撃吸収部材２１の湾曲・振動を許容する空気層２４が形成されるため、遊技球Ｂがガイド装置１９Ｂの衝突面に衝突した場合における衝撃及び衝突音を確実に吸収できる。
【００３７】
・前記各実施形態においてガイド装置は、図９（ａ）に示すように、木材等からなる基板３１に凹部３１ａを形成し、当該凹部３１ａを閉塞する取付態様で前記衝撃吸収部材２１を基板３１にネジ２３にて組み付け固定したガイド装置１９Ｃとしてもよい。また、図９（ｂ）に示すように、木材等からなる平板状の基板３２に対して裏面側に凹部２１ｂが形成された衝撃吸収部材２１をネジ２３にて組み付け固定したガイド装置１９Ｄとしてもよい。これらのように構成しても、各衝撃吸収部材２１の裏面側には、当該各衝撃吸収部材２１の湾曲・振動を許容する空気層２４が夫々形成されるため、遊技球Ｂが各ガイド装置１９Ｃ，１９Ｄの衝突面に衝突した場合における衝撃及び衝突音を確実に吸収できる。
【００３８】
・前記各実施形態において表装材２５は、ナイロン製の編物や不織布で構成されてもよい。表装材２５が編物で構成される場合は、遊技球Ｂが衝突した際に表装材２５の編目が変位することにより衝撃を吸収できる。また、表装材２５の素材は、衝撃吸収部材２１（ポリウレタン系のエラストマ）よりも摩擦係数の低い素材であれば例えば合成繊維からなる布等や合成皮革等であってもよい。但し、合成皮革で表装材２５を構成する場合には、通気性を有するように表装材２５に切り込み加工等（例えば、遊技球Ｂの大きさよりも小さい微細な穴をあける等）を施すのが望ましい。なお、表装材２５を構成する素材としての合成繊維は、ナイロンとほぼ同様の特性を備えていることが望ましく、例えば、ポリエステルであってもよい。ポリエステルは、摩擦係数が低く、耐磨耗性や自己潤滑性に優れるといった特性を備えている。
【００３９】
・前記各実施形態において衝撃吸収部材２１は、衝撃吸収性に優れた弾性材であればゴムやスポンジ等の任意の弾性材であってもよい。
・前記各実施形態において衝撃吸収装置として機能するガイド装置１９，１９Ａ〜１９Ｄは、島設備１０内で遊技球Ｂが衝突する可能性のある箇所であれば、球回収タンク１７内以外の他の箇所に設置してもよい。また、各パチンコ機１３内に設けられる賞球払出通路（球通路の一種）内等の各種の球通路内に設置してもよい。
【００４０】
・また、衝撃吸収装置として機能するガイド装置１９，１９Ａ〜１９Ｄは、図１０（ａ）に示すように、球回収樋１５の側壁部１５ａに凹溝１５ｂを設け、当該凹溝１５ｂを閉塞する取付態様で衝撃吸収部材２１を固定するようにしたものであってもよい。また、図８に示したガイド装置１９Ａにおいて、枠状のスペーサ２２の内側にリブ材３３を介在させるようにしてもよい（図１０（ｂ）参照）。このように構成すると、衝撃吸収部材２１が過剰に湾曲・振動して基板３０に接触することを防止できるため、衝撃吸収装置を大型化することも可能である。
【００４１】
・前記第２の実施形態においてガイド装置１９Ａは、遊技球Ｂとの衝突面である表装材２５の表面２５ａの水平方向に対する傾きが変更可能となるように支持されるようにしてもよい。このように構成すると、球回収タンク１７の大きさや形状等が変更された場合や球揚送装置１１に連通する連絡口２０の位置が変更された場合にも、ガイド装置１９Ａの衝突面（表装材２５の表面２５ａ）の傾きを変更させるだけで遊技球Ｂのガイド方向を容易に調整して対処できる。
【００４２】
・前記第１の実施形態においてガイド装置１９を複数（例えば２つ）とし、それら各ガイド装置１９を各球回収樋１５の下流端近傍位置に夫々配設するようにしてもよい。なおこの場合、各ガイド装置１９は、球回収タンク１７の蓋体１８の内面から垂直ではなく斜状をなすように支持されるとよい。
【００４３】
・前記第１の実施形態においてガイド装置は、例えば側面視略逆三角形状をなす形態とし、斜状をなす衝突面が２つ形成されるようにしたものであってもよい。この場合においても、遊技球Ｂとの衝突面は、表装材２５の表面２５ａで構成されており、当該表装材２５の裏面側には、衝撃吸収部材２１が設けられている。
【図面の簡単な説明】
【００４４】
【図１】本実施形態における島設備の一部切欠概略断面図。
【図２】第１の実施形態における球回収タンク周辺を示す一部断面図。
【図３】第１の実施形態におけるガイド装置を示す断面図。
【図４】第１の実施形態において遊技球がガイド装置によりガイドされる様子を示す説明図。
【図５】第２の実施形態における球回収タンク周辺を示す一部断面図。
【図６】第２の実施形態におけるガイド装置を示す断面図。
【図７】第２の実施形態において遊技球がガイド装置によりガイドされる様子を示す説明図。
【図８】別例のガイド装置を示す断面図。
【図９】（ａ）（ｂ）は、それぞれ他の別例のガイド装置を示す断面図。
【図１０】（ａ）（ｂ）は更なる別例のガイド装置を示す断面図。
【符号の説明】
【００４５】
１０…島設備、１１…球揚送装置、１３…パチンコ機（遊技機）、１５…球回収樋（球通路）、１７…球回収タンク、１９，１９Ａ，１９Ｂ，１９Ｃ，１９Ｄ…ガイド装置（衝撃吸収装置）、２０…連絡口、２１…衝撃吸収部材、２１ａ…衝撃吸収部材の一面（受圧面）、２４…空気層（変位スペース）、２５…表装材、２５ａ…表装材の表面（衝突面）、２９ａ…貫通孔（変位スペース）、Ｂ…遊技球。
【図１】
2005323881.tif 000003
【図２】
2005323881.tif 000004
【図３】
2005323881.tif 000005
【図４】
2005323881.tif 000006
【図５】
2005323881.tif 000007
【図６】
2005323881.tif 000008
【図７】
2005323881.tif 000009
【図８】
2005323881.tif 000010
【図９】
2005323881.tif 000011
【図１０】
2005323881.tif 000012